(57)【特許請求の範囲】
【請求項１】
記録媒体にレーザ光を照射することにより情報の記録及び再生を行う情報記録再生装置において、
前記レーザ光を出射する光源と、
前記記録媒体に対して記録が行われる記録パワーレベル、前記記録媒体上の記録マークが消去されるイレースパワーレベル、及び、記録も消去も行われない再生パワーレベルのうち、いずれかのレベルを有するレーザ駆動信号を生成する駆動信号生成手段と、
前記レーザ駆動信号に高周波信号を重畳する高周波重畳手段と、
前記高周波信号が重畳された前記レーザ駆動信号により前記光源を駆動して記録及び再生を行う制御手段と、を備え、
記録時における前記高周波信号のレベルは、再生時における前記高周波信号のレベルと異なり、
前記制御手段は、外部から入力された前記情報に基づいて、記録データの存在を検出し、
前記高周波重畳手段は、前記制御手段が記録データの存在を検出した時点から第１の所定時間経過後に高周波信号のレベルを変更し、
前記制御手段は、前記制御手段が記録データの存在を検出した時点から第２の所定時間経過後に、前記レーザ駆動信号のレベルを前記再生パワーレベルから前記イレースパワーレベルに変化させることにより再生状態から記録状態へと移行した後、前記レーザ駆動信号のレベルを前記イレースパワーレベルから前記記録パワーレベルへと変化させて情報の記録を行い、
前記第２の所定時間は、前記第１の所定時間より、光波形の過渡応答時間以上長いことを特徴とする情報記録再生装置。
【請求項２】
記録時における前記高周波信号のレベルは、再生時における前記高周波信号のレベルより小さいことを特徴とする請求項１に記載の情報記録再生装置。
【請求項３】
前記記録媒体がＤＶＤである場合の再生時における前記高周波信号のレベルは５ｍＷpp以上であり、前記記録媒体がＤＶＤ±ＲＷである場合の記録時における前記高周波信号のレベルは４ｍＷpp以下であることを特徴とする請求項１に記載の情報記録再生装置。
【請求項４】
記録媒体にレーザ光を照射することにより情報の記録及び再生を行う情報記録再生方法において、
前記記録媒体に対して記録が行われる記録パワーレベル、前記記録媒体上の記録マークが消去されるイレースパワーレベル、及び、記録も消去も行われない再生パワーレベルのうち、いずれかのレベルを有するレーザ駆動信号を生成する駆動信号生成工程と、
前記レーザ駆動信号に高周波信号を重畳する高周波重畳工程と、
前記高周波信号が重畳された前記レーザ駆動信号により光源を駆動して記録及び再生を行う制御工程と、を備え、
記録時における前記高周波信号のレベルは、再生時における前記高周波信号のレベルと異なり、
前記制御工程は、外部から入力された前記情報に基づいて、記録データの存在を検出し、
前記高周波重畳工程は、前記制御工程が記録データの存在を検出した時点から第１の所定時間経過後に高周波信号のレベルを変更し、
前記制御工程は、前記制御工程が記録データの存在を検出した時点から第２の所定時間経過後に、前記レーザ駆動信号のレベルを前記再生パワーレベルから前記イレースパワーレベルに変化させることにより再生状態から記録状態へと移行した後、前記レーザ駆動信号のレベルを前記イレースパワーレベルから前記記録パワーレベルへと変化させて情報の記録を行い、
前記第２の所定時間は、前記第１の所定時間より、光波形の過渡応答時間以上長いことを特徴とする情報記録再生方法。
【請求項５】
記録媒体にレーザ光を照射することにより情報の記録及び再生を行う情報記録再生装置において実行される情報記録再生プログラムであって、前記情報記録再生装置を、
前記記録媒体に対して記録が行われる記録パワーレベル、前記記録媒体上の記録マークが消去されるイレースパワーレベル、及び、記録も消去も行われない再生パワーレベルのうち、いずれかのレベルを有するレーザ駆動信号を生成する駆動信号生成手段と、
前記レーザ駆動信号に高周波信号を重畳する高周波重畳手段と、
前記高周波信号が重畳された前記レーザ駆動信号により光源を駆動して記録及び再生を行う制御手段として機能させ、
記録時における前記高周波信号のレベルは、再生時における前記高周波信号のレベルと異なり、
前記制御手段は、外部から入力された前記情報に基づいて、記録データの存在を検出し、
前記高周波重畳手段は、前記制御手段が記録データの存在を検出した時点から第１の所定時間経過後に高周波信号のレベルを変更し、
前記制御手段は、前記制御手段が記録データの存在を検出した時点から第２の所定時間経過後に、前記レーザ駆動信号のレベルを前記再生パワーレベルから前記イレースパワーレベルに変化させることにより再生状態から記録状態へと移行した後、前記レーザ駆動信号のレベルを前記イレースパワーレベルから前記記録パワーレベルへと変化させて情報の記録を行い、
前記第２の所定時間は、前記第１の所定時間より、光波形の過渡応答時間以上長いことを特徴とする情報記録再生プログラム。
【発明の詳細な説明】
【技術分野】
【０００１】
本発明は、レーザ光などを照射することにより、記録媒体に対して情報の記録及び再生を行う情報記録再生装置、情報記録再生方法及びそのためのプログラムに関する。
【背景技術】
【０００２】
ＤＶＤ−Ｒ（DVD-Recordable）、ＤＶＤ−ＲＷ（DVD-Re-Recordable）などの書き込み又は書き換え可能な光ディスクは、ディスクの記録面上にレーザ光を照射することにより、情報の記録、及び、記録された情報の再生を行う。光ディスクに照射されるレーザ光は、情報の記録時には記録すべきデータに応じた記録パルス波形に従ってそのパワーが制御され、再生時には所定の再生パワーに維持される。具体的には、レーザダイオード（ＬＤ）などの光源に、記録パルス波形におけるパワー及び再生パワーに対応した電流を通電することにより、記録レーザ光又は再生レーザ光が生成される。このとき、照射したレーザ光の光ディスクからの戻り光の影響を軽減するなどの理由により、レーザダイオードに通電される電流に高周波信号を重畳することが知られている。この重畳される高周波信号のレベルは、情報の記録時においても再生時においても同じレベルであった。
【０００３】
しかし、記録時と再生時において同一レベルの高周波信号を重畳する方法では、情報記録再生装置に搭載されるＬＤ等の特性のばらつきや使用される光ディスクの特性の違いなどによって、好ましい記録特性と再生特性を両立させることができないことがある。
【発明の開示】
【発明が解決しようとする課題】
【０００４】
本発明が解決しようとする課題には、上記のようなものが一例として挙げられる。本発明は、情報記録再生装置に搭載されるＬＤ等の固有特性のばらつきや使用される光ディスクの特性の違いなどを考慮して、好ましい記録特性及び再生特性を得ることが可能な情報記録再生装置、情報記録再生方法及びそのためのプログラムを提供することを課題とする。
【課題を解決するための手段】
【０００５】
本発明の好適な実施形態では、記録媒体にレーザ光を照射することにより情報の記録及び再生を行う情報記録再生装置は、前記レーザ光を出射する光源と、前記記録媒体に対して記録が行われる記録パワーレベル、前記記録媒体上の記録マークが消去されるイレースパワーレベル、及び、記録も消去も行われない再生パワーレベルのうち、いずれかのレベルを有するレーザ駆動信号を生成する駆動信号生成手段と、前記レーザ駆動信号に高周波信号を重畳する高周波重畳手段と、前記高周波信号が重畳された前記レーザ駆動信号により前記光源を駆動して記録及び再生を行う制御手段と、を備え、記録時における前記高周波信号のレベルは、再生時における前記高周波信号のレベルと異なり、前記制御手段は、外部から入力された前記情報に基づいて、記録データの存在を検出し、前記高周波重畳手段は、前記制御手段が記録データの存在を検出した時点から第１の所定時間経過後に高周波信号のレベルを変更し、前記制御手段は、前記制御手段が記録データの存在を検出した時点から第２の所定時間経過後に、前記レーザ駆動信号のレベルを前記再生パワーレベルから前記イレースパワーレベルに変化させることにより再生状態から記録状態へと移行した後、前記レーザ駆動信号のレベルを前記イレースパワーレベルから前記記録パワーレベルへと変化させて情報の記録を行い、前記第２の所定時間は、前記第１の所定時間より、光波形の過渡応答時間以上長い。
【０００６】
上記の情報記録再生装置は、例えばＤＶＤ±ＲＷなどの記録媒体に対する情報の記録及び再生を行う。レーザ光の光源としては例えばレーザダイオードなどが使用される。記録媒体に対して記録が行われる記録パワーレベル、記録媒体上の記録マークが消去されるイレースパワーレベル、及び、記録も消去も行われない再生パワーレベルのうち、いずれかのレベルを有するレーザ駆動信号が、例えばライトストラテジの生成部により生成される。レーザ駆動信号によりレーザダイオードなどの光源を駆動することにより、記録又は再生のためのレーザ光が光源から出射される。また、レーザ駆動信号には、光ディスクからの戻り光の影響などを除去するために所定周波数の高周波信号が重畳される。
【０００７】
情報記録再生装置に使用する光源としてのレーザダイオードの特性及び使用する光ディスクの特性によるが、最適な記録特性を得るために必要な高周波信号のレベルと、最適な再生特性を得るために必要な高周波信号のレベルとは必ずしも一致しない。よって、情報記録再生装置は、記録時における高周波信号の重畳レベルと再生時における高周波信号の重畳レベルとを異ならせる。これにより、最適な記録特性と再生特性を同時に実現することが可能となる。また、記録感度の高感度化により記録速度の高速化にも適している。
【０００８】
また、記録時における高周波信号のレベルは、再生時における高周波信号のレベルと異なり、制御手段は、外部から入力された前記情報に基づいて、記録データの存在を検出し、高周波重畳手段は、制御手段が記録データの存在を検出した時点から第１の所定時間経過後に高周波信号のレベルを変更する。制御手段は、制御手段が記録データの存在を検出した時点から第２の所定時間経過後に、レーザ駆動信号のレベルを再生パワーレベルからイレースパワーレベルに変化させることにより再生状態から記録状態へと移行した後、レーザ駆動信号のレベルをイレースパワーレベルから記録パワーレベルへと変化させて情報の記録を行い、第２の所定時間は、第１の所定時間より、光波形の過渡応答時間以上長い。これにより、光波形の過渡応答により記録特性などに影響が及ぶことを防止することができる。
【０００９】
上記の情報記録再生装置では、記録時における前記高周波信号のレベルを、再生時における前記高周波信号のレベルより小さくすることが好ましい。一般的に、良好な記録特性を得るために必要な高周波信号のレベルは、良好な再生特性を得るために必要な高周波信号のレベルより小さいことがわかっているので、記録時における前記高周波信号のレベルを、再生時における前記高周波信号のレベルより小さくすることにより、記録特性と再生特性を両立することが可能となる。
【００１０】
好適な具体例では、記録媒体がＤＶＤである場合の再生時における前記高周波信号のレベルは５ｍＷpp以上であり、前記記録媒体がＤＶＤ±ＲＷである場合の記録時における前記高周波信号のレベルは４ｍＷpp以下である。
【００１１】
本発明の他の実施形態では、記録媒体にレーザ光を照射することにより情報の記録及び再生を行う情報記録再生方法は、前記記録媒体に対して記録が行われる記録パワーレベル、前記記録媒体上の記録マークが消去されるイレースパワーレベル、及び、記録も消去も行われない再生パワーレベルのうち、いずれかのレベルを有するレーザ駆動信号を生成する駆動信号生成工程と、前記レーザ駆動信号に高周波信号を重畳する高周波重畳工程と、前記高周波信号が重畳された前記レーザ駆動信号により光源を駆動して記録及び再生を行う制御工程と、を備え、記録時における前記高周波信号のレベルは、再生時における前記高周波信号のレベルと異なり、前記制御工程は、外部から入力された前記情報に基づいて、記録データの存在を検出し、前記高周波重畳工程は、前記制御工程が記録データの存在を検出した時点から第１の所定時間経過後に高周波信号のレベルを変更し、前記制御工程は、前記制御工程が記録データの存在を検出した時点から第２の所定時間経過後に、前記レーザ駆動信号のレベルを前記再生パワーレベルから前記イレースパワーレベルに変化させることにより再生状態から記録状態へと移行した後、前記レーザ駆動信号のレベルを前記イレースパワーレベルから前記記録パワーレベルへと変化させて情報の記録を行い、前記第２の所定時間は、前記第１の所定時間より、光波形の過渡応答時間以上長い。
【００１２】
また、本発明のさらに他の実施形態では、記録媒体にレーザ光を照射することにより情報の記録及び再生を行う情報記録再生装置において実行される情報記録再生プログラムは、前記情報記録再生装置を、前記記録媒体に対して記録が行われる記録パワーレベル、前記記録媒体上の記録マークが消去されるイレースパワーレベル、及び、記録も消去も行われない再生パワーレベルのうち、いずれかのレベルを有するレーザ駆動信号を生成する駆動信号生成手段と、前記レーザ駆動信号に高周波信号を重畳する高周波重畳手段と、前記高周波信号が重畳された前記レーザ駆動信号により光源を駆動して記録及び再生を行う制御手段として機能させ、記録時における前記高周波信号のレベルは、再生時における前記高周波信号のレベルと異なり、前記制御手段は、外部から入力された前記情報に基づいて、記録データの存在を検出し、前記高周波重畳手段は、前記制御手段が記録データの存在を検出した時点から第１の所定時間経過後に高周波信号のレベルを変更し、前記制御手段は、前記制御手段が記録データの存在を検出した時点から第２の所定時間経過後に、前記レーザ駆動信号のレベルを前記再生パワーレベルから前記イレースパワーレベルに変化させることにより再生状態から記録状態へと移行した後、前記レーザ駆動信号のレベルを前記イレースパワーレベルから前記記録パワーレベルへと変化させて情報の記録を行い、前記第２の所定時間は、前記第１の所定時間より、光波形の過渡応答時間以上長い。
【００１３】
これら情報記録再生方法及び情報記録再生プログラムによっても、上記の情報記録再生装置と同様に、良好な記録特性と再生特性を両立させることができる。
【発明を実施するための最良の形態】
【００１４】
以下、本発明の好適な実施例を図面に基づいて説明する。
【００１５】
図１に、本発明の実施例にかかる情報記録再生装置の全体構成を概略的に示す。情報記録再生装置１は、光ディスクＤに情報を記録し、また、光ディスクＤから情報を再生する。光ディスクＤは例えば複数回にわたって消去及び記録が可能なＤＶＤ−ＲＷなどとすることができる。
【００１６】
情報記録再生装置１は、光ディスクＤに対して記録ビーム及び再生ビームを照射する光ピックアップ２と、光ディスクＤの回転を制御するスピンドルモータ３と、光ディスクＤへの情報の記録を制御する記録制御部１０と、光ディスクに既に記録されている情報の再生を制御する再生制御部２０と、スピンドルモータ３の回転を制御するスピンドルサーボ、並びに光ピックアップ２の光ディスクＤに対する相対的位置制御であるフォーカスサーボ及びトラッキングサーボを含む各種サーボ制御を行うためのサーボ制御部３０と、を備える。
【００１７】
記録制御部１０は、記録データを受け取り、後述の処理により光ピックアップ２内部のレーザダイオードを駆動するための駆動信号ＳDを生成して、これを光ピックアップ２へ供給する。
【００１８】
再生制御部２０は、光ピックアップ２から出力される読取ＲＦ信号Ｓrfを受け取り、これに対して所定の復調処理、復号化処理などを施して再生信号を生成して出力する。
【００１９】
サーボ制御部３０は、光ピックアップ２からの読取ＲＦ信号Ｓrfを受け取り、これに基づいてトラッキングエラー信号及びフォーカス信号などのサーボ信号Ｓ１を光ピックアップ２へ供給するとともに、スピンドルサーボ信号Ｓ２をスピンドルモータ３へ供給する。これにより、トラッキングサーボ、フォーカスサーボ、スピンドルサーボなどの各種サーボ処理が実行される。
【００２０】
なお、本発明は主として記録制御部１０における記録に関するものであり、再生制御及びサーボ制御については既知の種々の方法が適用できるので、それらについての詳細な説明は行わない。
【００２１】
次に、上記の情報記録再生装置の光波形について説明する。図２に、光ディスクとしてＤＶＤ±ＲＷを使用する場合の記録中の光波形の一例を模式的に示す。この例は、記録データが４Ｔマークである場合の記録中の光波形を示している。この光波形は、図示のような光波形に対応する記録パルス信号により、レーザダイオードなどの光源を駆動することにより光源から出射される光の波形である。
【００２２】
図示のように、光波形は、ライトパワーＰｗ、イレースパワーＰｅ、バイアスパワーＰｂの３値を有し、各パワーはレーザオフ時のレベルＬＤoffに対して各々所定のレベルを有している。ライトパワーＰｗは光ディスクに対して記録（情報の書き込み）が行われるパワーであり、イレースパワーＰｅは光ディスクに記録された記録マークが消去されるパワーであり、バイアスパワーＰｂは光ディスクに対して記録も消去も行われないパワーである。即ち、記録時には、イレースパワーＰｅで光ディスク上に既に形成されている記録マークを消去し、ライトパワーＰｗとバイアスパワーＰｂとを交互に切り換えて与えることにより、所望の長さの記録マークを光ディスク上に記録する。記録マークが長くなれば、ライトパワーＰｗとバイアスパワーＰｂとの間の繰り返し部分６５中の繰り返し回数が増加することになる。
【００２３】
一方、再生時には、基本的に光波形のレベルはリードパワーに維持される。本例では、バイアスパワーＰｂはリードパワーと一致しており、再生時には光ディスクに対して記録や消去が行われることなく、光ディスクからの戻り光量に基づいて記録データの再生が行われる。
【００２４】
図３Ａと図３Ｂに実際の光波形の例を示す。図３Ａと図３Ｂの例は図２と同じく４Ｔの記録データの例であり、図３Ａは高周波を重畳しない場合の波形であり、図２に示す光波形に対応する実際の波形例である。図３Ｂは高周波を重畳した場合の波形である。実際の情報記録再生装置では、光ディスクからの戻り光の影響を軽減するため、光波形には図３Ｂに示すように高周波が重畳される。高周波は記録時においても再生時においても重畳される。高周波の周波数は例えば３５０ＭＨｚ程度である。以下に詳細に説明するが、本発明は光波形に重畳される高周波のレベルを、記録時と再生時とで異ならせる点を基本的な特徴とする。
【００２５】
次に、情報記録再生装置における記録再生制御について説明する。図４は情報記録再生装置の記録再生制御部のブロック図である。また、図４における各部の信号波形例を図７に示す。なお、図４に示す記録再生制御部は、図１における記録制御部１０及び再生制御部２０の一部により構成される。
【００２６】
図示のように、記録再生制御部は、記録データ生成部４１と、ライトストラテジ生成部４２と、切替タイミング信号生成部４３と、高周波重畳部４４と、記録パワー決定部４５と、再生パワー決定部４６と、ＬＤドライバ４７〜４９と、レーザダイオードＬＤとを備える。
【００２７】
記録データ生成部４１は、情報記録再生装置の外部から入力された記録情報Ｓ１を受け取り、記録データＳ２及び記録データ有無信号Ｓ３を生成する。図７に示すように、記録データＳ２は、記録情報Ｓ１に対応するデータを示すパルス波形であり、パルスの長さが記録情報に対応する。具体的には、記録データ生成部４１は、入力された記録情報を８−１６変調し、３Ｔ〜１１Ｔ及び１４Ｔのいずれかの長さのマーク及びスペースを有する記録データＳ２を生成する。記録データ有無信号Ｓ３は、記録情報Ｓ１に基づいて生成され、記録データが存在する期間を示すパルス信号である。図７の例では記録データＳ２が存在する期間は記録データ有無信号Ｓ３はハイ（Ｈ）レベルとなり、記録データＳ２が存在しない期間は記録データ有無信号Ｓ３はロー（Ｌ）レベルとなる。
【００２８】
ライトストラテジ生成部４２は、記録データＳ２を受け取り、各長さの記録マークに対応する記録パルス波形（例えば図１に示すようなパルス波形、「ライトストラテジ」とも呼ばれる）を生成する。そして、ライトストラテジ生成部４２は、生成した記録パルス波形に従って制御信号Ｓ６及びＳ７を生成し、各ＬＤドライバ４８及び４９をオン／オフ制御する。
【００２９】
また、ライトストラテジ生成部４２は、ライトストラテジ生成とともに、実際にデータの記録中であるか再生中であるかを示すリード／ライト（Ｒ／Ｗ）信号Ｓ４を生成し、切替タイミング信号生成部４３へ供給する。図７に示すように、Ｒ／Ｗ信号Ｓ４は、記録データ有無信号Ｓ３に対して所定のディレイＤＬを有する。このディレイＤＬはライトストラテジ生成部４２が、記録データ生成部４１から入力された記録データＳ２に基づいてライトストラテジを生成するために要する処理時間等に対応する。
【００３０】
記録パワー決定部４５はライトパワーＰｗ及びイレースパワーＰｅを決定し、再生パワー決定部４６はバイアスパワーＰｂを決定する。再生パワー制御部４６はＡＰＣ（Automatic Power Control）回路を含み、ＡＰＣ回路は再生時にバイアスパワーＰｂが常に一定レベルとなるようにゲイン制御を行う。再生パワー決定部４６は、決定したバイアスパワーＰｂに従ってＬＤドライバ４７を制御し、バイアスパワーＰｂに対応する駆動電流Ｉbias（＝Ｉread）でレーザダイオードＬＤを駆動する。これにより、レーザダイオードＬＤはバイアスパワーＰｂで発光する。
【００３１】
記録パワー決定部４５は、ライトパワーＰｗ及びイレースパワーＰｅを決定し、それに応じてＬＤドライバ４８及び４９を制御し、ＬＤドライバ４８及び４９はライトパワーに対応する駆動電流Ｉwrite及びイレースパワーに対応する駆動電流ＩeraseをそれぞれレーザダイオードＬＤへ供給する。ＬＤドライバ４８及び４９はライトストラテジ生成部４２によりオン／オフ制御されるので、レーザダイオードＬＤはライトストラテジ生成部４２の制御により、ライトパワーＰｗ、イレースパワーＰｅ及びバイアスパワーＰｂの３つのレベルのいずれかで発光する。
【００３２】
具体的には、ライトストラテジ生成部４２がＬＤドライバ４８及び４９をオフにすると、駆動電流Ｉbias（＝Ｉread）のみがレーザダイオードＬＤへ供給され、光波形はバイアスパワーＰｂとなる。ライトストラテジ生成部４２がＬＤドライバ４８をオフ、ＬＤドライバ４９をオンにすると、駆動電流（Ｉread＋Ｉerase）がレーザダイオードＬＤへ供給され、光波形はイレースパワーＰｅとなる。また、ライトストラテジ生成部４２がＬＤドライバ４８をオンし、４９をオフにすると、駆動電流（Ｉread＋Ｉwrite）がレーザダイオードＬＤへ供給され、光波形はライトパワーＰｗとなる。こうして、記録時及び再生時の光波形のレベルが制御される。
【００３３】
高周波重畳部４４は、レーザダイオードＬＤへ供給される駆動電流に高周波電流Ｉhfを加え、図３Ｂに例示するように光波形に高周波を重畳する。ここで、高周波重畳部４４は、切替タイミング信号生成部４３から供給された切替タイミング信号Ｓ５に従って、記録時の高周波重畳レベルと、再生時の高周波重畳レベルとを切り替える。
【００３４】
高周波重畳部４４の内部構成の一例を図５に示す。高周波重畳部４４は高周波発振器５１と、アンプ５２と、可変抵抗５３とを備える。高周波発振器５１は、例えば３５０ＭＨｚ程度の所定周波数の高周波を生成する。アンプ５２は、可変抵抗５３の抵抗値に応じた増幅度で高周波電流Ｉhfを出力する。切り替えタイミング信号Ｓ５の例が図７及び図８に示されており、記録時のレベルが再生時のレベルより高く設定されている。こうして、高周波重畳部４４は、切替タイミング信号Ｓ５のレベルに対応するレベルの高周波を光波形に重畳する。記録時と再生時の高周波重畳レベルについては後述する。
【００３５】
切替タイミング信号生成部４３は、記録データ生成部４１から供給される記録データ有無信号Ｓ３、及び、ライトストラテジ生成部４２から供給されるＲ／Ｗ信号Ｓ４に基づいて、切替タイミング信号Ｓ５を生成し、高周波重畳部４４へ供給する。よって、切替タイミング信号生成部４３により、記録時と再生時の高周波の重畳レベル及び重畳タイミングが制御されることになる。
【００３６】
次に、記録時と再生時の高周波重畳レベルについて説明する。図６に、高周波重畳レベルを変化させた場合の記録特性と再生特性、具体的には記録・再生ジッタの特性を示す。横軸は高周波重畳レベル（振幅）を示し、縦軸は記録・再生ジッタを示している。再生特性５２はあるＤＶＤ−ＲＷのドライブ装置により、高周波重畳レベルを変化させつつ記録信号を再生したときの再生ジッタ量を示す。記録特性５１は、同じドライブ装置において、高周波重畳レベルを変化させつつデータを記録し、その記録データを再生したときの再生ジッタを示しており、記録品質を示すものである。
【００３７】
各特性から理解されるように、記録特性５１は、高周波重畳レベルが大きくなるとジッタが増加し、特性が悪化する。図６の例では、記録時の高周波重畳レベルは４ｍＷ以下とすることが好ましいといえる。なお、記録時の高周波重畳レベルを０付近まで低下させてしまうと、高周波重畳による効果が得られなくなるので、この例では記録時の好ましい高周波重畳レベルは２〜４ｍＷ程度であることがわかる。
【００３８】
一方、再生特性５２は、高周波重畳レベルが小さくなるとジッタが増加し、特性が悪化する。図６の例では、再生時の高周波重畳レベルは６ｍＷ以上が好ましい。なお、再生時の高周波重畳レベルを大きくしすぎると、光波形のレベルがイレースパワーＰｅに近づき、記録データを消去してしまう恐れもあるので、イレースパワーＰｅに近づかない範囲で高周波重畳レベルを決定することが必要となる。
【００３９】
図６の例からは、記録時と再生時では好ましい高周波重畳レベルが異なり、同一の高周波重畳レベルでは同時に良好な記録特性及び再生特性を得ることは不可能であることが理解される。図６に示したのはあるＤＶＤ−ＲＷとあるドライブ装置における一例であり、記録特性及び再生特性は使用する光ディスクの特性及びドライブ装置の特性（特にレーザダイオードの特性）により変動するが、記録時と再生時の高周波重畳レベルを個別に設定し、それらを切り替えて使用するように情報記録再生装置を構成すれば、ディスクやドライブ装置の特性の個体ばらつきに拘わらず、良好な記録特性及び再生特性を得ることが可能となる。
【００４０】
次に、切替タイミング信号Ｓ５による高周波重畳レベルの切替タイミングについて説明する。高周波重畳レベルの切替タイミングについては以下に述べるいくつかの決定方法がある。以下、図７及び図８を参照して説明する。
【００４１】
まず、参考例に係る第１の方法は、実際にデータの記録中であるか再生中であるかを示すＲ／Ｗ信号Ｓ４により高周波重畳レベルを切り替える方法である。この場合の切替タイミング信号を図７にＳ５ａとして示す。切替タイミング信号Ｓ５ａは、Ｒ／Ｗ信号Ｓ４と同様に、時刻ｔ１において再生レベルから記録レベルへ変化している。この方法は、高周波重畳レベルの切り替え時に記録時と再生時の高周波重畳レベルの差分（過不足分）を瞬時に他の手段（例えばバイアスパワーの増減など）により補うことができ、かつ、光波形の過渡応答がない又は記録特性に影響しない程度に抑制できる場合に適用することができる。図７に、光波形を模式的に示しており、上述のように過渡応答がない場合には、Ｒ／Ｗ信号Ｓ４と同一の立ち上がり及び立下りを有する切替タイミング信号Ｓ５ａにて高周波重畳レベルを切り替えればよい。
【００４２】
しかし、過渡応答期間が長く、上記のように記録特性などに影響する場合には、まず高周波重畳レベルを切り替えて、光波形が安定してから、即ち光波形の過渡応答の終了後に再生状態から記録状態へ移行する必要がある。この場合には、以下の本発明に係る第２の方法を用いる。
【００４３】
図８に光波形が過渡応答を有する場合の波形図を示す。図示のように、光波形は過渡応答期間τを有するとする。記録特性に対する過渡応答の影響を除去するためには、再生から記録への切り替わりタイミングである時刻ｔ１、即ちＲ／Ｗ信号Ｓ４の立上り時には過渡応答期間τが終了している必要がある。よって、Ｒ／Ｗ信号Ｓ４の立上り時刻ｔ１を基準として、過渡応答期間τに相当する時間以上前（即ち時刻ｔ２より前）に高周波重畳レベルを切り替える必要がある。図８の切替タイミング信号Ｓ５ｂはこの場合の切替タイミングを示している。即ち、切替タイミング信号Ｓ５ｂはＲ／Ｗ信号Ｓ４より過渡応答期間τ以上先行するタイミング（時刻ｔ２より前）に高周波信号レベルを切り替える。
【００４４】
具体的には、切替タイミング信号生成部４３は、Ｒ／Ｗ信号Ｓ４の立上りよりも過渡応答時間τ以上先行するタイミング（図８の時刻ｔ２又はそれより以前）で立ち上がるようにディレイＤＬ１の値を決定し、記録データ有無信号Ｓ３からディレイＤＬ１経過後のタイミングで立ち上がる切替タイミング信号Ｓ５ｂを生成する。なお、切替タイミング信号Ｓ５ｂはＲ／Ｗ信号Ｓ４と同一の立下りタイミングを有し、記録時の高周波重畳レベルから再生時の高周波重畳レベルへの移行はＲ／Ｗ信号Ｓ４の記録から再生への切り替わりタイミングと同一である。
【００４５】
このように、切替タイミング信号が規定する高周波重畳レベルの切替タイミングを、Ｒ／Ｗ信号Ｓ４が規定する実際の再生状態から記録状態への移行タイミングより過渡応答期間τ以上先行させれば、Ｒ／Ｗ信号Ｓ４の立ち上がり時刻ｔ１には既に光波形の過渡応答期間τは終了しているので、過渡応答の記録特性に対する影響を排除することができる。  また、第２の方法の代わりに、記録データ有無信号Ｓ３の立ち上がり時刻ｔ０に切替タイミング信号Ｓ５による高周波重畳レベルの切り替えを行うようにすることもできる。その場合の切替タイミング信号Ｓ５ｃを図８に示している。なお、切替タイミング信号Ｓ５ｃはＲ／Ｗ信号Ｓ４と同一の立下りタイミングを有する。この方法でも、光波形の過渡応答の終了後に実際の再生状態から記録状態への移行が行われるので、記録特性などに対する過渡応答の影響を除去することができる。
【００４７】
以上説明したように、本発明によれば、記録時と再生時で高周波重畳レベルを切り替えるので、記録特性及び再生特性を同時に良好にすることができる。
【００４８】
なお、上記の実施例では、記録データ有無信号Ｓ３は記録データ生成部４１により生成され、切替タイミング信号生成部４３へ供給されると述べたが、その代わりにライトストラテジ生成部４２が記録データ有無信号Ｓ３を生成してもよい。記録データ有無信号Ｓ３は記録データＳ２の有無を示す信号であり、記録データ生成部４１からライトストラテジ生成部４２へ供給される。よって、ライトストラテジ生成部４２は、記録データ生成部４１から受け取った記録データＳ２に基づいて記録データ有無信号Ｓ３ａを生成し、切替タイミング信号生成部４３へ供給することもできる。
【００４９】
また、上記の実施例では、光ディスクとしてＤＶＤ±ＲＷを例示したが、本発明は、Ｂｌｕ−ｒａｙディスク、ＡＯＤディスクなどの記録再生装置にも適用可能である。
【００５０】
本発明に係る情報記録再生装置、情報記録再生方法及び情報記録再生プログラムは、例えば民生用或いは業務用の映像、音声、データなどの各種情報を高密度に記録可能なＤＶＤなどの高密度光ディスクの記録再生を行うＤＶＤレコーダなどに利用可能である。また、民生用或いは業務用の各種コンピュータ機器に搭載又は接続可能なドライブ装置などの情報記録再生装置にも利用可能である。
【図面の簡単な説明】
【００５１】
【図１】  本発明を適用した情報記録再生装置の概略ブロック図である。
【図２】  光ディスクとしてＤＶＤ±ＲＷを使用する場合の記録中の光波形例を模式的に示す。
【図３Ａ】  高周波を重畳しない場合の実際の記録波形例を示す。
【図３Ｂ】  高周波を重畳した場合の実際の記録波形例を示す。
【図４】  本発明を適用した情報記録再生装置の記録再生制御部のブロック図である。
【図５】  図４に示す高周波重畳部の内部構成の一例を示す。
【図６】  高周波重畳レベルを変化させた場合の記録特性と再生特性を示す。
【図７】  図４における各部の波形例を示し、特に切替タイミング信号の一例を示す。
【図８】  図４における各部の波形例を示し、特に切替タイミング信号の他の例を示す。
【符号の説明】
１  情報記録再生装置
１０  記録制御部
２０  再生制御部
３０  サーボ制御部
４１  記録データ生成部
４２  ライトストラテジ生成部
４３  切替タイミング信号生成部
４４  高周波重畳部
４５  記録パワー決定部
４６  再生パワー決定部
４７〜４９  ＬＤドライバ
【図１】
0004409514.tif 000002
【図２】
0004409514.tif 000003
【図３Ａ】
0004409514.tif 000004
【図３Ｂ】
0004409514.tif 000005
【図４】
0004409514.tif 000006
【図５】
0004409514.tif 000007
【図６】
0004409514.tif 000008
【図７】
0004409514.tif 000009
【図８】
0004409514.tif 000010